(57)【要約】【課題】  ペアリング回路により少なくとも２つのデコーダの間の連続的なペアリングを可能にする手段を提供すること【解決手段】  本発明は、プロセッサにより制御されるスイッチを利用して、特定のアドレッシング又はカスケード接続されたフィルタなしに、マスタデコーダと各スレーブデコーダとの間の通信リンクを連続的に確立することを可能にするペアリングデコーダのための回路及び方法に関する。【選択図】  図３
2006295933.tif 000002
【特許請求の範囲】
【請求項１】
メイン入出力に接続されるマスタと呼ばれるデコーダと、それぞれＮ−１個のサブ入出力に接続されるスレーブと呼ばれるＮ−１個のデコーダとに分割されるデコーダ群に３つの第２入出力により送信されるための信号の少なくとも３つの第１入出力を有するＮ（Ｎ≧３）個のデコーダ間のペアリング装置であって、
当該装置は、各サブ入出力に係る少なくとも１つの通信手段と、ある通信周波数帯域において前記Ｎ−１個のサブ入出力を前記メイン入出力に連続的に接続するのに用いられるスイッチ手段とを有することを特徴とするペアリング装置。
【請求項２】
請求項１記載の２つのデコーダ間のペアリング装置であって、
前記スイッチ手段は、少なくともＮ個のポジションを有するスイッチと該スイッチを制御するプロセッサとを有することを特徴とする装置。
【請求項３】
請求項２記載の２つのデコーダ間のペアリング装置であって、
前記スイッチ手段のＮ個のポジションは、リリースポジションを有することを特徴とする装置。
【請求項４】
請求項１岸あの２つのデコーダ間のペアリング装置であって、
前記通信手段は、前記通信周波数帯域に対応する帯域幅を有する帯域通過フィルタであることを特徴とする装置。
【請求項５】
請求項１乃至４何れか一項記載のペアリング装置であって、
当該装置は、Ｎ個の独立したデコーダに接続されるための信号のＮ個の入出力を有し、
各第２入出力は、前記通信周波数帯域を阻止する阻止フィルタにより第１入出力に接続される、
ことを特徴とする装置。
【請求項６】
請求項１乃至５何れか一項記載のペアリング装置を有する受信システムであって、マスタデコーダと、少なくとも２つのスレーブデコーダ及び前記装置には、プロセッサが搭載されることを特徴とするシステム。
【請求項７】
入出力によりペアリング装置に接続され、メイン入出力に接続されるマスタデコーダと呼ばれるデコーダと、少なくとも２つのサブ入出力に接続されるスレーブデコーダと呼ばれるＮ−１個のデコーダとに分割されるＮ（Ｎ≧３）個のデコーダ間のペアリング方法であって、
当該方法は、前記スレーブデコーダのそれぞれと前記マスタデコーダとの間の通信リンクを連続的に確立するため、前記マスタデコーダを前記スレーブデコーダに連続的に接続するための前記マスタデコーダと前記ペアリング装置との間の連続的なデータ交換ステップを有することを特徴とする方法。
【請求項８】
請求項７記載のペアリング方法であって、
前記連続的なデータ交換ステップは、前記マスタデコーダにより生成され、
前記マスタデコーダと前記スレーブデコーダのそれぞれとの連続的接続は、前記ペアリング装置により実行される、
ことを特徴とする方法。
【請求項９】
請求項８記載のペアリング方法であって、
前記マスタデコーダと前記スレーブデコーダとの間で交換されるデータは、前記スレーブデコーダを確認するのに利用される記録、接続及び情報データを有することを特徴とする方法。
【請求項１０】
請求項９記載のペアリング方法であって、
前記マスタデコーダを前記スレーブデコーダのそれぞれに連続的に接続するための連続的なデータ交換ステップは、前記マスタデコーダが前記スレーブデコーダのそれぞれと連続的に対話することができるように逐次的なものであることを特徴とする方法。
【請求項１１】
請求項１０記載のペアリング方法であって、
前記マスタデコーダを前記スレーブデコーダのそれぞれに連続的に接続するための連続的なデータ交換ステップは、クロックにより決定され、定期的な時間間隔により繰り返されることを特徴とする方法。
【請求項１２】
請求項１０記載のペアリング方法であって、
前記マスタデコーダを前記スレーブデコーダのそれぞれに連続的に接続するための連続的なデータ交換ステップは、前記マスタデコーダがスタンバイ状態として知られる状態にあるとき行われることを特徴とする方法。
【発明の詳細な説明】
【技術分野】
【０００１】
本発明は、１つのマスタデコーダといくつかのスレーブデコーダに分割されるデコーダ間のペアリング装置及び当該ペアリングを可能にする処理に関する。本発明はまた、上記装置を有する衛星受信システムに関する。
【背景技術】
【０００２】
マルチメディアサービスオペレータは、複数の送信ネットワークにより各自のサービスを配信している。これらのネットワークのうち、衛星、ケーブル及びデジタル地上波配信ネットワークをあげることができる。これらの各配信ネットワークは、共通してデータフローを宅内におけるネットワークのエントリポイントである装置に送る機能を有する。その後、これらのサービスは、加入者が受信可能となることを所望する宅内の各エリアに配信される。受信自体は、サービスへの加入者のアクセス権をチェックし、加入者が権限を有するサービスを復号する機能を有するデジタルデコーダと呼ばれる装置により実行される。
【０００３】
加入者は、宅内においてしばしば、配信されるサービスを表示可能な複数の受信機を有する。このとき、宅内の複数のエリアで加入者が契約しているサービスを復号することが可能であるかという問題が生じる。マスタデコーダと呼ばれるデコーダから送られる復号化されたサービスを配信することが、解決策の１つである。宅内におけるサービスの各表示可能ポイントが、その他の表示可能ポイントで表示されるサービスとは独立に表示可能となることを所望する場合、複数のデコーダが宅内で使用される必要があり、表示可能ポイントごとに設けられる各デコーダは、宅内のその他のデコーダにより復号されるサービスとは独立に何れかのサービスを復号化することが可能であることが求められる。これを実現するため。宅内にスレーブと呼ばれる複数のデコーダを使用することが可能である。
【０００４】
マスタデコーダと複数のスレーブデコーダとの間のペアリングは、図１に示されるように、アンテナ１とＬＮＢ（Ｌｏｗ  Ｎｏｉｓｅ  Ｂｌｏｃｋ）２と呼ばれる受信ブロックを有する受信システム内に配備され、各デコーダと接続されるペアリング回路３を必要とする。それは、マスタデコーダ５とスレーブデコーダ６〜８との間の通信リンクを確立する。
【０００５】
このような回路は、従来から知られている。仏国特許ＦＲ０２１３４６０では、図２に示される当該回路について説明されている。このカップリング回路１００は、デコーダ５と６に接続されるよう構成される２つの信号入出力Ｉ／Ｏ３とＩ／Ｏ４を有する。それはまた、アンテナ１に付属するＬＮＢブロック２とそれぞれ接続するよう構成される少なくとも２つの入出力Ｉ／Ｏ１とＩ／Ｏ２を有する。帯域フィルタ１５０は、マスタデコーダ５とスレーブデコーダ６の間の対話のため、ある通信帯域周波数に限定される接続が実現されることを可能にするため、第１の信号入出力Ｉ／Ｏ３とＩ／Ｏ４を互いにリンクさせる。入出力Ｉ／Ｏ１とＩ／Ｏ２は、デコーダにより用いられる通信チャネルに対応する周波数帯域を阻止する帯域阻止フィルタ１０１と１０２により、信号入出力Ｉ／Ｏ３とＩ／Ｏ４にそれぞれ接続される。
【０００６】
このようなカップリング装置は、Ｎ個の入出力に拡張することができる。各入出力ペアの追加は、破線により示されるように、帯域通過フィルタ１５０と帯域阻止フィルタ１０３を追加する。
【０００７】
アンテナ１により受信され、その後、入出力Ｉ／Ｏ１とＩ／Ｏ２を介し回路に送信されるＵＨＦ−ＶＨＦ信号は、入出力Ｉ／Ｏ３とＩ／Ｏ４に接続されるデコーダに送信される。
【０００８】
入出力Ｉ／Ｏ３とＩ／Ｏ４に接続されるデコーダは、出力の１つに接続されたマスタデコーダとその他の出力に接続されたスレーブデコーダとの間の通信チャネルを介しデータを交換することにより制御される。スレーブと呼ばれるその他のデコーダの制御を行うためマスタデコーダにより送信される信号は、受信を妨害しない周波数帯域の信号である。
【０００９】
しかしながら、そのようなスレーブの制御は多くの問題点を有しており、特にスレーブデコーダの個数が多いときに問題となる。実際、すべてのスレーブデコーダは、フィルタ１５０によりマスタデコーダと常時接続される。
【００１０】
従って、マスタデコーダは、自身とスレーブデコーダの１つとの間のペアリングリンクを生成するため、すべてのスレーブデコーダと対話することとなる。送信アドレスに対応するスレーブデコーダのみが、リプライを返すであろう。しかしながら、この集団的なアドレッシングからは、衝突と干渉のリスクが生じてくる。
【００１１】
さらに、マスタから最も離れたスレーブは、多数のカスケード接続されたフィルタにより接続されることとなる。従って、マスタにより送信されるデータは、大きく減衰することとなる。
【特許文献１】国際公開第０４／０３８９６５号パンフレット
【特許文献２】欧州特許第１５５８０３５号明細書
【特許文献３】米国特許第４，６３３，３０９号明細書
【非特許文献１】ＥＵＲＯＰＥＡＮ  ＴＥＬＥＣＯＭＭＵＮＩＣＡＴＩＯＮＳ  ＳＡＴＥＬＬＩＴＥ  ＯＲＧＡＮＩＺＡＴＩＯＮ：“ＤｉＳＥｑＣ  Ｖｅｒｓｉｏｎ  ４．０−ＢＵＳ  ＦＵＮＣＴＩＯＮＡＬ  ＳＰＥＣＩＦＩＣＡＴＩＯＮ”  ＴＥＣＨＮＩＣＡＬ  ＲＥＣＯＭＭＥＮＤＡＴＩＯＮＳ  ＦＯＲ  ＭＡＮＵＦＡＣＴＵＲＥＲＳ  ＯＦ  ＤＴＨ  ＡＮＤ  ＳＭＡＴＶ  ＲＥＣＥＩＶＩＮＧ  ＥＱＵＩＰＭＥＮＴ，２２  ｍａｒｓ  １９９６（１９９６−０３−２２），ＸＰ００２１４９６２９
【発明の開示】
【発明が解決しようとする課題】
【００１２】
本発明は、ペアリング回路により少なくとも２つのデコーダの間の連続的なペアリングを可能にする手段を提案する。それは、スレーブデコーダがマスタデコーダに連続的にスイッチされることを可能にし、これにより、マスタ・スレーブ接続を実現する。集合的なアドレッシングによるすべての衝突及びマルチ干渉が回避される。ペアリング回路は、連続的なスイッチ処理が制御されることを可能にする。
【課題を解決するための手段】
【００１３】
従って、本発明は、メイン入出力に接続されるマスタと呼ばれるデコーダと、それぞれＮ−１個のサブ入出力に接続されるスレーブと呼ばれるＮ−１個のデコーダとに分割されるデコーダ群に３つの第２入出力により送信されるための信号の少なくとも３つの第１入出力を有するＮ（Ｎ≧３）個のデコーダ間のペアリング装置に関する。
【００１４】
当該装置は、各サブ入出力に係る少なくとも１つの通信手段と、ある通信周波数帯域において前記Ｎ−１個のサブ入出力を前記メイン入出力に連続的に接続するのに用いられるスイッチ手段とを有する。
【００１５】
上記装置は、１つのみのフィルタによりマスタデコーダと各スレーブデコーダとをリンクさせる効果を有し、これにより、通信データの減衰を減少させることができる。
【００１６】
本発明による回路の一実施例では、スイッチ手段は、ＤｉｓｅｑＣプロトコルに準拠し、スイッチを制御するプロセッサに係る少なくともＮ個のポジションを有するスイッチを有する。より詳細には、スイッチのＮ個のポジションは、リリースポジションを有することを特徴とする。
【００１７】
一実施例では、通信手段は、通信周波数帯域に対応する帯域幅を有する帯域通過フィルタである。
【００１８】
本発明の一特徴によると、すべての第２入出力は、上記通信周波数帯域を阻止する阻止フィルタにより第１入出力に接続される。
【００１９】
本発明はまた、少なくとも上記ペアリング装置、１つのマスタデコーダ及び少なくとも１つのスレーブデコーダを有し、上記装置及びデコーダにプロセッサが搭載される衛星プログラム受信装置を提案する。
【００２０】
本発明はまた、入出力によりペアリング装置に接続され、メイン入出力に接続されるマスタデコーダと呼ばれるデコーダと、少なくとも２つのサブ入出力に接続されるスレーブデコーダと呼ばれるＮ−１個のデコーダとに分割されるＮ（Ｎ≧３）個のデコーダ間のペアリング方法に関する。
【００２１】
当該方法は、前記スレーブデコーダのそれぞれと前記マスタデコーダとの間の通信リンクを連続的に確立するため、前記マスタデコーダを前記スレーブデコーダに連続的に接続するための前記マスタデコーダと前記ペアリング装置との間の連続的なデータ交換ステップを有することを特徴とする。
【００２２】
一実施例によると、マスタデコーダとスレーブデコーダとの間で交換されるデータは、スレーブデコーダを確認するのに利用される記録、接続及び情報データを有する。
【００２３】
一実施例によると、マスタデコーダをスレーブデコーダのそれぞれに連続的に接続するための連続的なデータ交換ステップは、マスタデコーダがスレーブデコーダのそれぞれと連続的に対話することができるように逐次的なものである。
【００２４】
一実施例によると、マスタデコーダをスレーブデコーダのそれぞれに連続的に接続するための連続的なデータ交換ステップは、クロックにより決定され、定期的な時間間隔により繰り返される。
【００２５】
一実施例によると、マスタデコーダをスレーブデコーダのそれぞれに連続的に接続するための連続的なデータ交換ステップは、マスタデコーダがスタンバイ状態として知られる状態にあるとき行われる。
【発明の効果】
【００２６】
本発明によると、ペアリング回路により少なくとも２つのデコーダの間の連続的なペアリングを可能にする手段が提供される。それは、スレーブデコーダがマスタデコーダに連続的にスイッチされることを可能にし、これにより、マスタ・スレーブ接続を実現する。集合的なアドレッシングによるすべての衝突及びマルチ干渉が回避される。ペアリング回路は、連続的なスイッチ処理が制御されることを可能にする。
【発明を実施するための最良の形態】
【００２７】
図３は、本発明によるペアリング回路のブロック図を示す。ペアリング回路は、スレーブデコーダに接続される入出力Ｉ／Ｏ６〜Ｉ／Ｏ８に接続される帯域通過フィルタＦ２−１〜Ｆ２−３を有する。帯域フィルタＦ２−１〜Ｆ２−３は、１ＭＨｚなどの通信周波数帯域においてペアリング信号をフィルタリングする。
【００２８】
他の阻止フィルタＦ１−１〜Ｆ１−４は、ペアリング回路Ｉ／Ｏ１とＩ／Ｏ５、Ｉ／Ｏ２とＩ／Ｏ６、Ｉ／Ｏ３とＩ／Ｏ７及びＩ／Ｏ４とＩ／Ｏ８の対応する入出力の間に配置される。これらのフィルタは上記通信周波数帯域を阻止し、これにより、通信信号のＬＮＢへの送信を防ぐものである。
【００２９】
スイッチＣは、入力側においてマスタデコーダ５と接続され、出力側において帯域通過フィルタＦ２−１〜Ｆ２−３によりスレーブデコーダ６〜８に接続される。リリースされた出力もまた提供される。スイッチＣは、図示される通信リンクＳ１０〜Ｓ１２を連続的に生成するスレーブデコーダの１つに接続された出力又はリリースされた出力の何れかにより、マスタデコーダと接続される入力をスイッチするのに利用される。マイクロプロセッサは、スイッチ制御信号を生成する。マイクロプロセッサは、マスタデコーダのマイクロプロセッサと接続され、スイッチの制御を可能にするＤｉｓｅｑＣプロトコルの規格に従って当該デコーダとデータをやりとりする。
【００３０】
図４は、回路内の信号フローを示す。
【００３１】
信号Ｓ１〜Ｓ４は、デコーダにより供給され、ＤｉｓｅｑＣプロトコルに従って２２ｋＨｚにおいて変調され、ＬＮＢの分極を保証するため連続するコンポーネントにより搬送される信号である。
【００３２】
信号Ｓ５〜Ｓ８は、ＬＮＢ回路により送信され、ＶＨＦ−ＵＨＦ帯域においてデコーダにより受信される信号である。
【００３３】
信号Ｓ１０〜Ｓ１２は、マスタデコーダとスレーブデコーダのペアリングを可能にする通信信号である。これらは、上述の広帯域信号の送受信を干渉しない通信周波数帯域により送信される。
【００３４】
本発明によるスレーブルとマスタとの間の通信リンクを確立するため、マスタに当該スレーブをスイッチする原理は、図５を参照することにより良好に理解されるであろう。
【００３５】
マスタデコーダは、ペアリング回路のマイクロプロセッサＰにＤｉｓｅｑＣプロトコルによるコマンドによりペアリングリクエストを送信する。プロセッサＰの応答は、スイッチを第１ポジションに切り替えるコマンドをスイッチＣに送信するものである。その後、この切り替えられた出力に接続されるスレーブとマスタとの間の通信リンクが確立される。これにより、マスタデコーダとスレーブデコーダは、スレーブデコーダの確認がアンテナから取得されたＳ６データを受信することを可能又は不可とする記録、接続及び情報データを交換することが可能となる。
【００３６】
その後、スイッチＣは、第２出力に接続されるスレーブデコーダとマスタデコーダとの間の通信ラインを確立する次のポジションに設定される。同様に、マスタデコーダとスレーブデコーダは、スレーブデコーダの確認がアンテナから取得されたＳ７データを受信することを可能又は不可とする記録、接続及び情報データを交換することが可能となる。
【００３７】
その後連続的に、スイッチＣは、次の出力に接続されるスレーブとマスタとの間の通信を確立するため次のポジションに設定される。その後、スイッチＣの出力に接続される各スレーブとマスタは、記録、接続及び情報データを交換することが可能となる。
【００３８】
最終的に、スイッチＣがリリースポジションに設定され、これにより、接続されたすべてのデコーダとのスイッチ処理が行われたことが示される。その後、スイッチＣは再び最初のポジション１に置かれ、連続的なスイッチ処理が継続される。
【００３９】
上記のような入力に対するスイッチＣの各出力の連続的なスイッチ処理は、５００ｍｓごとなどにより新たなスイッチ動作をイネーブルとするクロックにより決定される。従って、マスタは各スレーブと定期的かつ連続的に通信することとなり、これにより、アンテナから入力されるデータを機能に関する影響を有するスレーブの１つのパラメータの可能な変化に応答する。スイッチサイクルは、数秒のオーダとなる。単一の帯域通過フィルタは、常に通信リンク内にあり、これにより電力の大きなロスを回避することができる。可能な接続に対するマスタデコーダによるスレーブデコーダのアドレッシングは、すべてのスレーブデコーダが自動的かつ連続的にマスタと接続されるため不要となる。
【００４０】
この連続的なスイッチングは、マスタデコーダがスタンバイ状態にあったとしても継続され、これにより、すべてのスレーブデコーダのパラメータの変化をモニタすることが可能となる。
【００４１】
ここで説明されたデコーダのフレームワーク内における本発明は、当該フレームワーク及び説明されたプロトコルのみに限定されるものではない。実際、このタイプ又は他のタイプのプロトコルは、複数の装置が接続可能となり、通信の確立が可能になるとすぐに、任意のタイプの宅内装置において実現することが可能となる。１つの装置が、マスタデコーダとスレーブデコーダの役割を担うことになる。スレーブ装置は、マスタ装置と定期的に情報を交換する場合、機能することが可能となる。マスタとスレーブの間のスイッチ処理は、電子スイッチ又は電子回路に一体化されたスイッチなどの他のスイッチにより可能である。スイッチ処理のレート及び期間は、データ交換の長さ又はより詳細にはプロトコル又はプロトコルバージョンに応じた異なるパラメータに従って可変とされる。何れのデコーダも、マスタデコーダ又はスレーブデコーダの機能を仮定することができる。スレーブの個数は限定されない。
【図面の簡単な説明】
【００４２】
【図１】図１は、複数のデコーダを利用し、回路が受信システムに配置されることを可能にする衛星受信システムを示す。
【図２】図２は、従来技術によるマルチ出力変換ブロックを示す。
【図３】図３は、本発明によるペアリング回路のブロック図を示す。
【図４】図４は、本発明による回路内の信号フローを示す。
【図５】図５は、マスタデコーダとスレーブデコーダとの間の連続的なスイッチ処理の原理を示す図である。
【符号の説明】
【００４３】
１  アンテナ
２  ＬＮＢ
３  ペアリング回路
５〜８  デコーダ
１０１、１０２  阻止フィルタ
１５０  帯域通過フィルタ
【図１】
2006295933.tif 000003
【図２】
2006295933.tif 000004
【図３】
2006295933.tif 000005
【図４】
2006295933.tif 000006
【図５】
2006295933.tif 000007